(57)【要約】【課題】標的構造を、偏光下でその背景に対して指定のコントラスト閾値を上回る高コントラストを有する一方で、非偏光下でその背景に対して該指定のコントラスト閾値を下回る低コントラストを有するように設計することを含む、標的、標的要素、及び標的設計方法を提供する。【解決手段】該標的は、デバイス形体スケールで詳細を有し、デバイス設計規則に適合するが、偏光照明を用いて測定されるときに光学コントラストを維持し、それ故に計測標的として効果的に使用され得る。設計の変形及びそれぞれの測定光学システムも同様に提供される。【選択図】図４Ｃ
2020074387.tif 000002
【特許請求の範囲】
【請求項１】
標的構造を、偏光下でその背景に対して指定のコントラスト閾値を上回る高コントラストを有する一方で、非偏光下でその背景に対して前記指定のコントラスト閾値を下回る低コントラストを有するように設計するステップを含み、
前記設計するステップは、少なくとも１つのコンピュータプロセッサによって実行される、
ことを特徴とする方法。
【請求項２】
前記標的構造を、その製造プロセスに対して完全にプロセス適合性となるように設計するステップをさらに含む、
ことを特徴とする請求項１に記載の方法。
【請求項３】
前記標的構造を、前記標的構造の背景形体に垂直な形体を有するように構成するステップをさらに含む、
ことを特徴とする請求項１に記載の方法。
【請求項４】
偏光下で前記標的構造の背景に対する前記標的構造のコントラストを維持又は強化するように、前記標的構造の領域内に追加の層を設計するステップをさらに含む、
ことを特徴とする請求項１に記載の方法。
【請求項５】
前記標的構造を、その背景形体から指定の範囲まで離間させるステップをさらに含む、
ことを特徴とする請求項１に記載の方法。
【請求項６】
前記設計された標的構造を製造するステップをさらに含む、
ことを特徴とする請求項１〜５のいずれか１項に記載の方法。
【請求項７】
前記標的構造を偏光下で測定し、前記標的構造を前記標的構造の背景と区別するステップをさらに含む、
ことを特徴とする請求項５に記載の方法。
【請求項８】
前記標的構造を様々な照明条件下で繰り返し測定するステップと、
複数の測定から追加の測定データを抽出するステップと、
をさらに含むことを特徴とする請求項７に記載の方法。
【請求項９】
前記標的構造と前記標的構造の背景との間の前記コントラストを強化するように、各層の測定条件を調整するステップをさらに含む、
ことを特徴とする請求項７に記載の方法。
【請求項１０】
ゼロ次回析パターンを除去した後に、一次回析パターンを測定するステップをさらに含む、
ことを特徴とする請求項８に記載の方法。
【請求項１１】
前記測定するステップは、連結された偏光子、前記測定の光路内の代替偏光子、干渉計、可変リターダ偏光子、瞳面におけるゼロ次ブロッカ、及び偏光源のうちの少なくとも１つを使用して実行される、
ことを特徴とする請求項７に記載の方法。
【請求項１２】
コンピュータ可読プログラムが記憶されたコンピュータ可読記憶媒体を備えるコンピュータプログラム製品であって、
前記コンピュータ可読プログラムは、請求項１〜１１のいずれか１項に記載の方法を実行するように構成される、
ことを特徴とするコンピュータプログラム製品。
【請求項１３】
請求項１〜１１のいずれか１項に記載の方法に従って設計又は製造されることを特徴とする標的設計ファイル。
【請求項１４】
請求項１〜１１のいずれか１項に記載の方法に従って設計、製造、又は測定されることを特徴とする計測標的。
【請求項１５】
標的構造を備える計測標的であって、
前記標的構造が、偏光下でその背景に対して指定のコントラスト閾値を上回る高コントラストを有する一方で、非偏光下でその背景に対して前記指定のコントラスト閾値を下回る低コントラストを有するように配列され、かつそれらの製造プロセスに対して完全にプロセス適合性となるようにさらに配列される、
ことを特徴とする計測標的。
【請求項１６】
前記標的構造は、背景形体に垂直な形体を備える、
ことを特徴とする請求項１５に記載の計測標的。
【請求項１７】
偏光下で前記標的構造の背景に対する前記標的構造のコントラストを維持又は強化するように、前記標的構造の領域内に追加の層をさらに備える、
ことを特徴とする請求項１５に記載の計測標的。
【請求項１８】
前記標的構造は、その背景形体から指定の範囲まで離間される、
ことを特徴とする請求項１５に記載の計測標的。
【請求項１９】
請求項１５〜１８のいずれか１項に記載の計測標的の計測測定。
【請求項２０】
様々な照明条件下で繰り返し実行される請求項１９に記載の計測測定、及び複数の測定から抽出される追加の測定データ。
【発明の詳細な説明】
【技術分野】
【０００１】
関連出願の相互参照
本願は、２０１３年６月２７日に出願された米国仮特許出願第６１／８４０，３３９号、及び２０１３年１２月１３日に出願された同第６１／９１６，０１８号の利益を主張するものであり、それらは参照によりその全体が本明細書に組み込まれる。
【０００２】
本発明は、計測の分野に関し、より具体的には、計測標的に関する。
【背景技術】
【０００３】
関連技術の考察
計測標的は、ウエハ製造ステップの質を示し、ウエハ上の構造の設計と実装との間の対応を定量化するパラメータの測定を可能にするように設計される。特定の構造としての計測標的は、デバイスの類似性及び光学測定可能性に対する必要性を最適化する。
【先行技術文献】
【特許文献】
【０００４】
【特許文献１】米国特許第７，５２８，９４１号
【発明の概要】
【発明が解決しようとする課題】
【０００５】
半導体製造設計規則への標的の整合性は、標的の正確な製造に寄与するが、標的の光学測定可能性を低減する場合がある。
【課題を解決するための手段】
【０００６】
本発明の一態様は、標的構造を、偏光下でその背景に対して指定のコントラスト閾値を上回る高コントラストを有する一方で、非偏光下でその背景に対して該指定のコントラスト閾値を下回る低コントラストを有するように設計することを含む、方法を提供する。
【０００７】
本発明のこれらの、追加の、及び／又は他の態様及び／又は利点が後続の詳細な説明に記載され、これらは恐らく詳細な説明から推察可能、かつ／又は本発明の実践によって学習可能である。
【図面の簡単な説明】
【０００８】
本発明の実施形態をより良く理解するために、かつ、それがどのように実行に移され得るかを示すために、純粋に例として添付の図面がこれから参照され、この図面において、同様の番号は、全体を通して対応する要素又は部分を指定する。
【０００９】
添付の図面は以下の通りである。
【００１０】
【図１Ａ】先行技術による標的要素の高レベル概略図である。
【図１Ｂ】先行技術による標的要素の高レベル概略図である。
【図２】本発明のいくつかの実施形態による、計測標的要素の一部である、標的構造及びその背景の高レベル概略図である。
【図３Ａ】本発明のいくつかの実施形態による、偏光照明下でコントラストを有するように設計された標的の高レベル概略図である。
【図３Ｂ】本発明のいくつかの実施形態による、偏光照明下でコントラストを有するように設計された標的の高レベル概略図である。
【図３Ｃ】本発明のいくつかの実施形態による、偏光照明下でコントラストを有するように設計された標的の高レベル概略図である。
【図４Ａ】本発明のいくつかの実施形態による、標的におけるセグメント化修正の高レベル概略図である。
【図４Ｂ】本発明のいくつかの実施形態による、標的におけるセグメント化修正の高レベル概略図である。
【図４Ｃ】本発明のいくつかの実施形態による、偏光及び非偏光下での連続的な背景上及びセグメント化された背景上のセグメント化された標的構造の測定のシミュレーション結果の概略図であり、前者のはるかに良好なコントラストを示す。
【図５Ａ】本発明のいくつかの実施形態による、偏光による測定を利用することによってコントラストを維持するプロセス適合性標的設計の高レベル概略図である。
【図５Ｂ】本発明のいくつかの実施形態による、偏光による測定を利用することによってコントラストを維持するプロセス適合性標的設計の高レベル概略図である。
【図５Ｃ】本発明のいくつかの実施形態による、偏光による測定を利用することによってコントラストを維持するプロセス適合性標的設計の高レベル概略図である。
【図５Ｄ】本発明のいくつかの実施形態による、偏光による測定を利用することによってコントラストを維持するプロセス適合性標的設計の高レベル概略図である。
【図５Ｄ−１】本発明のいくつかの実施形態による、偏光による測定を利用することによってコントラストを維持するプロセス適合性標的設計の高レベル概略図である。
【図５Ｄ−２】本発明のいくつかの実施形態による、偏光による測定を利用することによってコントラストを維持するプロセス適合性標的設計の高レベル概略図である。
【図５Ｅ】本発明のいくつかの実施形態による、偏光による測定を利用することによってコントラストを維持するプロセス適合性標的設計の高レベル概略図である。
【図５Ｆ】本発明のいくつかの実施形態による、偏光による測定を利用することによってコントラストを維持するプロセス適合性標的設計の高レベル概略図である。
【図６Ａ】本発明のいくつかの実施形態による、光学照明及び測定システムの高レベル概略図である。
【図６Ｂ】本発明のいくつかの実施形態による、光学照明及び測定システムの高レベル概略図である。
【図６Ｃ】本発明のいくつかの実施形態による、光学照明及び測定システムの高レベル概略図である。
【図６Ｄ】本発明のいくつかの実施形態による、光学照明及び測定システムの高レベル概略図である。
【図６Ｅ】本発明のいくつかの実施形態による、光学照明及び測定システムの高レベル概略図である。
【図６Ｆ】本発明のいくつかの実施形態による、光学照明及び測定システムの高レベル概略図である。
【図６Ｇ】本発明のいくつかの実施形態による、光学照明及び測定システムの高レベル概略図である。
【図６Ｈ】本発明のいくつかの実施形態による、光学照明及び測定システムの高レベル概略図である。
【図６Ｉ】本発明のいくつかの実施形態による、光学照明及び測定システムの高レベル概略図である。
【図６Ｊ】本発明のいくつかの実施形態による、光学照明及び測定システムの高レベル概略図である。
【図６Ｋ】本発明のいくつかの実施形態による、光学照明及び測定システムの高レベル概略図である。
【図６Ｌ】本発明のいくつかの実施形態による、光学照明及び測定システムの高レベル概略図である。
【図６Ｍ】本発明のいくつかの実施形態による、光学照明及び測定システムの高レベル概略図である。
【図７】本発明のいくつかの実施形態による方法を示す高レベルフローチャートである。
【図７−１】本発明のいくつかの実施形態による方法を示す高レベルフローチャートである。
【図７−２】本発明のいくつかの実施形態による方法を示す高レベルフローチャートである。
【発明を実施するための形態】
【００１１】
詳細な説明に先立ち、これ以降、使用されるであろう所定の用語の定義を記載することは有益であり得る。
【００１２】
本願において使用される用語「計測標的」又は「標的」は、計測目的のために使用されるウエハ上に設計もしくは製造された構造として定義される。計測標的のための非限定的な例は、ＡＩＭ（高度画像計測）、ＢｉＢ（ボックスインボックス）、ＡＩＭｉｄ及びＢＬＯＳＳＯＭなどの画像標的あるいはそれらの対応する変形例や代替例、並びに、ＳＣＯＬ（散乱計オーバーレイ）などの散乱計標的あるいはそれらの対応する変形例や代替例である。本願において、用語「標的要素」は、開示される原理に従って設計されるフル標的の一部を指すように使用される。したがって、任意の標的要素は、フル標的を設計するために即座に使用されてもよい。標的は、本願においてそれらの標的要素設計を単位として参照され、またそれらと互換的である。
【００１３】
本願において使用される用語「標的構造」は、個々の標的エリア又はボックス、格子バーなどの、計測標的内の形体として定義される。標的構造は、フルであるか、又は空（ギャップ）であってもよく、またセグメント化されてもよく、すなわち、標的構造を累積的に構築する複数のより小さい形体を備えてもよい。標的及び／又は周期的構造は、標的構造を有すると称され、各「標的構造」は、その背景と区別される標的の形体である。「背景」は、（標的構造の上又は下の）同一又は異なる層上の標的構造に近接するウエハエリアである。本願において使用される用語「層」は、フォトリソグラフィープロセスにおいて、そのステップのいずれかで使用される層のいずれかとして定義される。本願において使用される用語「連続的な構造」、「空領域」、又は「フルバー」は、典型的なデバイス形体に対して大きい寸法を有する空領域又はフルバーなどの、連続的な標的構造として定義される。本説明の大部分はフル背景領域よりもむしろ空背景領域を参照しているが、類似の設計原理は、フル背景に適用可能であり、それぞれに設計される標的も、同様に開示される発明の一部であることに明確に留意されたい。
【００１４】
本願において使用される用語「計測測定」又は「測定」は、計測標的から情報を抽出するために使用されるいずれかの計測測定手順として定義される。例えば、計測測定は、標的の画像化、又は標的の散乱計測定であってもよい。計測測定の非限定的な例としては、オーバーレイ測定（画像又は散乱計）、限界寸法（ＣＤ）測定、並びに、焦点及び線量測定などが挙げられる。本願において使用される用語「オーバーレイ」は、（例えば、プロセス誤差によって）製造誤差を引き起こす可能性がある非意図的な構成要素を含み、それ故に計測測定の目的である、層間の遷移として定義される。本願において使用される用語「測定方向」は、標的構造が測定される方向、例えば、周期的構造が周期的である方向を指す。例えば、周期的構造としてのグリッドの測定方向は、そのグリッドを構築する標的要素（例えば、バー又はセグメント化されたバー）に垂直である。
【００１５】
図面を詳細に具体的に参照すると、詳細な説明は、例として、かつ、本発明の好適な実施形態のみの説明の検討の目的のために示され、また、本発明の原理及び概念的な態様の最も有益で容易に理解される説明であると信じられるものを提供するために提示されることが強調される。この点において、本発明の基本的な理解のために必要とされる以上に詳細に本発明の構造的な詳細を示すことは意図されておらず、図面とともに理解される説明は、本発明のいくつかの形態が、どのように実際に具現化され得るかを当業者に明白にする。
【００１６】
本発明の少なくとも１つの実施形態が詳細に説明される前に、本発明が、以下の説明に記載される又は図面に図示される構成要素の構築及び配列の詳細に対するその適用において限定されないことが理解されるべきである。本発明は、種々の方法で実践される、又は実行される他の実施形態に適用可能である。また、本願で利用される用語及び専門用語は、説明のためであり、限定的であるとみなされるべきではないことが理解されるべきである。
【００１７】
標的構造を、偏光下でその背景に対して指定のコントラスト閾値を上回る高コントラストを有する一方で、非偏光下でその背景に対して該指定のコントラスト閾値を下回る低コントラストを有するように設計することを含む、標的、標的要素、及び標的設計方法が提供される。該標的は、デバイス形体スケールの詳細を有し、デバイス設計規則に適合するが、偏光照明を用いて測定されるときに光学コントラストを維持し、それ故に計測標的として効果的に使用され得る。設計の変形及びそれぞれの測定光学システムも同様に提供される。現在の光学オーバーレイ標的は、デバイスよりもはるかに大きい形体を含み、その結果、より多くのプロセス損害に悩まされているが、開示される標的は、偏光特性によるコントラストを提供し、よりプロセス適合性であり、それ故にデバイスオーバーレイをより正確に表す。コントラストを改善するためのさらなる技術も、下記に説明される。
【００１８】
図１Ａ及び図１Ｂは、先行技術による標的要素９０の高レベル概略図である。現行の標的構造９２は、連続的であり、フルである（図１Ａ）か、又は空であり（図１Ｂ）、それらの背景９１に対してコヒーレント（又はインコヒーレント）照明下で光学コントラストを呈して、画像計測（例えば、オーバーレイ測定）を可能にする。例えば、図１Ａは、前の層内の背景９１上の現在の層内の標的構造９２を概略的に示し、標的要素９２及び背景９１は、どちらも連続的である。標的構造９２は、１つの材料から主に作製されるエリアであってよく、背景９１は、異なる材料から主に作製されるエリアであってよい。別の例では、図１Ｂは、セグメント化された、背景９１と同一の層内のギャップとしての標的構造９２を概略的に示す。背景セグメント化（「ダミー化（ｄｕｍｍｉｆｉｃａｔｉｏｎ）」と称される）は、標的要素９０をよりプロセス適合性にするために適用され、セグメント化は通常、分解されていない様式で、すなわち、小さいピッチ（例えば、概ね５０ｎｍの大きさ）を使用して実行される。現行の連続的な標的構造９２の典型的な寸法が１μｍであるため、エッチング及び研磨などの製造プロセスは、プロセスに関連する製造誤差を招く傾向があり、それは、プロセスに強く影響を受けやすくする。それに加えて、画像標的は、デバイスを正確に表さない場合があり（例えば、測定されるオーバーレイは、実際のオーバーレイとは異なる場合がある）、さらには、散乱計標的は、実際のデバイス形体に対して大きすぎる標的構造を有する場合がある（例えば、それぞれ、数百ｎｍに対して数十ｎｍ）。画像化において、必要とされるコントラストは、標的構造９２とそれらの背景９１との間の反射の差である、異なるエリアの「充填率」の差から生じる。したがって、標的構造９２がプロセスに関連する誤差を克服するようにセグメント化される場合、それらの背景９１に対するそれらのコントラストは衰退し、標的として有用ではない。
【００１９】
図２は、本発明のいくつかの実施形態による、計測標的要素１００の一部である標的構造１１０及びその背景１２０の高レベル概略図である。先行技術の標的要素９０とは対照的に、開示される計測標的要素１００は、セグメント化された標的構造１１０及びセグメント化された背景１２０を備え、偏光照明を使用してそれらを区別し、それによって、セグメント化の導入時のコントラストの衰退の問題を克服する。有利に、開示される発明は、反射特性の差よりもむしろ、異なるエリアの偏光活性の差を使用する。開示される設計原理は、任意の設計計測標的における任意の周期的又は非周期的標的要素１００に適用され得る。
【００２０】
開示される計測標的は、偏光下でその背景１１０に対して指定のコントラスト閾値を上回る高コントラストを有する一方で、非偏光下でその背景１１０に対して該指定のコントラスト閾値を下回る低コントラストを有するように配列される、少なくとも標的構造１２０を備える。指定のコントラスト閾値は、使用される光学機器によって付与されるか、又は光学機器を標的の仕様に対して調整することによって構成されてもよい。例えば、図２に示される例では、標的要素１００は、標的構造１２０のセグメント化線に平行な偏光１３０を有する線形偏光を用いて照明され得る。標的構造１２０と背景１１０との間の反射差は、偏光照明とセグメント化形体との相互作用、及び測定される信号上のそれらのそれぞれの方向の影響から生じる。例えば、セグメント化ピッチ、セグメントの限界寸法、セグメント化方向、及びセグメント化パターンは、標的構造１２０と背景１１０との間で変動してもよい。
【００２１】
ある実施形態では、標的構造１２０は、標的要素１００の背景形体に垂直な形体を有する。標的構造１２０と背景１１０とのセグメント化形体間に、他の角度が設定されてもよい。例えば、要素及び／又は背景のいずれかのセグメント化は、斜めであってもよい。ある実施形態では、異なる偏光変更パターンが、標的構造１２０及び背景１１０に適用されてもよい。照明偏光は、線形であってはならないが、任意の他の特定の特徴（例えば、円形、変調されているなど）のものであってもよく、セグメント化形体は、それぞれ、標的構造１２０を背景１１０と区別することを可能にする方法で照明偏光を変化させることにおいて差を生じさせるように適合されてもよい。
【００２２】
ある実施形態では、開示される発明は、標的構造１２０及び背景１１０の両方を微細なピッチでセグメント化することを可能にし、それは、デバイス形体に似るように選択され得る。かかる標的１００は、先行技術の標的よりも良好にデバイス形体を表し、それ故により正確な測定を提供し、偏光照明を使用して依然として十分に測定可能であり、それ故に先行技術の標的のようには正確さ及びコントラストを損なわない。
【００２３】
ある実施形態では、標的構造１２０とそれらのそれぞれの背景１１０との間の境界領域におけるセグメント化線の端部は、偏光照明下で標的構造１２０と背景１１０との間のコントラストを制御及び強化するように製造される。ある実施形態では、標的構造１２０は、その背景形体から指定の範囲まで離間され得る（例えば、下記の図４Ｂを参照）。
【００２４】
ある実施形態では、偏光下で標的構造１２０のその背景１１０に対するコントラストを維持又は強化するように、標的構造１００の領域内に追加の層をさらに備える標的１００が開示される。
【００２５】
図３Ａ〜図３Ｃは、本発明のいくつかの実施形態による、偏光照明下でコントラストを有するように設計された標的１００の高レベル概略図である。層１４０、１５０（それぞれ、前及び現在の層、図３Ａを参照）内のバーなどの標的構造から始まり、標的構造１２０及びそれらの背景１１０は、例えば、垂直にセグメント化されて、偏光照明下で照明されるときにコントラストを生じさせる。図３Ｂは、標的構造１２０及びそれらの背景１１０が、前の層１４０内でセグメント化される一方で、現在の層１５０内の背景１１０は、セグメント化されていないままである（現在の層内の標的構造１２０はセグメント化された状態である）例を概略的に示す。図３Ｃは、標的構造１２０及びそれらの背景１１０が前の層１４０及び現在の層１５０の両方においてセグメント化されている例を概略的に示す。図３Ｃにおいて、前の層１４０及び現在の層１５０は、層１４０、１５０が重なり合う標的要素１００に加えて、別々に示される。前の層１４０における標的構造１２０のセグメント１４２及び前の層１５０における標的構造１２０のセグメント１５２は、同一又は異なる寸法及び特徴（ピッチ、端部構成など）を有してもよい。前の層１４０における背景１１０のセグメント１４１及び前の層１５０における背景１１０のセグメント１５２は、同一又は異なる寸法及び特徴（ピッチ、端部構成など）を有してもよい。さらに、異なる測定方向（例えば、ｘ及びｙ）のセグメント化は、異なる特徴を有してもよい。
【００２６】
ある実施形態では、標的１００の一次（又はより高次の）回析パターンが、標的構造１２０とそれらの背景１１０との間のコントラストを強化するために測定され得る。一次ＳＣＯＬ（瞳面で）又は一次画像（視野平面で）の測定は、偏光照明から抽出される情報を強化し得る。ゼロ次回析パターンは、コントラストをさらに強化するために、干渉によって遮断又は除去され得る。
【００２７】
図４Ａ及び図４Ｂは、本発明のいくつかの実施形態による、標的１００におけるセグメント化修正の高レベル概略図である。図４Ｂは、セグメントが相互に接続する図４Ａに対して、標的構造１２０のセグメント化の背景１１０のセグメント化からの離間を概略的に示す。空間１６０は、偏光を用いた照明下で、それらの間のコントラストを改善し得る。空間１６０及び線端部の正確な構成は、シミュレーション又は実験的設定を使用して、コントラストをさらに強化するように実行され得る。標的構造１２０の及び背景１１０のセグメント化ピッチｐ１、ｐ２は、等しくてもよく、又は異なっていてもよく、Ｘ及びＹ方向のセグメント化ピッチは、等しくてもよく、又は異なっていてもよい。
【００２８】
ある実施形態では、空間１６０は、偏光照明を使用して、又は使用せずに測定可能となるように配列され得る。例えば、空間１６０は、概ね１００ｎｍ幅の大きさであり得る。空間１６０は、偏光照明測定のためにコントラストをさらに強化するように構成され得る。
【００２９】
ある実施形態では、偏光測定を使用することは、標的構造１２０及び／又は背景１１０のセグメント化を可能にし、それ故にそれらをよりプロセス適合性にする一方で、測定に非偏光照明の代わりに偏光を使用することは、セグメント化されていない標的構造１２０及び／又は背景１１０に対して、標的構造１２０と背景１１０との間のコントラストを維持するか、又はさらに強化する。
【００３０】
例えば、図４Ｃは、偏光及び非偏光下での連続的な背景９１（上記の図１Ｂに相当）上のセグメント化された標的構造９２の測定のシミュレーション結果（ＡＩＭ様標的に関する）の概略図であり、前者のはるかに良好なコントラストを示す。図４Ｃはさらに、セグメント化された背景１１０（図２に相当）上のセグメント化された標的構造１２０の偏光照明を用いた測定を示し、それは、非偏光照明下でコントラストを全く生み出さない。偏光測定は、標的構造１２０に関して、標的構造９２よりも少ないコントラストを生じさせるが、それらは依然として、セグメント化されていない背景９１上の標的構造９２の測定よりも高いコントラストを生じさせ、後者よりもプロセス適合性であるという顕著な利点を有する。さらに、セグメント化ピッチの調整は、３つの背景ピッチｐ、ｐ３＜ｐ２＜ｐ１に関する様々なコントラストによって示される通り、測定条件に関するコントラストの調整を可能にする（示される事例では、ピッチが小さければ小さい程、偏光照明下でのコントラストは大きい）。さらに、コントラスト閾値が非偏光照明によって達成される値以下である場合、偏光測定のいずれかは、閾値を下回り、それ故に測定のための十分なコントラストを提供する。
【００３１】
ある実施形態では、標的１００の計測測定は、複数の取得技術によって異なる測定条件下で、例えば、異なる偏光方向（例えば、方向１３０に対して直角な偏光の結果を低減する）、スペクトル変動（色）、焦点変動、異なる開口数（ＮＡ）サイズなどのいずれかを使用して、実行され得る。偏光照明を用いたいくつかの測定は、複合画像における標的構造のコントラストを強化するために組み合わされ得る。例えば、測定間での焦点の変更、又は測定間での波長の変化は、偏光測定下のコントラストを強化する情報をさらに提供し得る。
【００３２】
図５Ａ〜図５Ｆは、本発明のいくつかの実施形態による、偏光による測定を利用することによってコントラストを維持するプロセス適合性標的設計１００の高レベル概略図である。標的１００内の異なるエリアの偏光活性の差は、反射特性の差の代わりに、又はそれに加えて、計測測定を抽出するために使用され得る。例えば、線形偏光は、材料及びセグメント化ピッチの偏光活性に応じて、水平な線を有するエリアを垂直な線を有するエリアと区別するために使用され得る。したがって、偏光を使用することは、測定される標的オーバーレイとデバイスオーバーレイとの対応を改善するために、概ねデバイス形体及び空間の大きさである寸法を有する形体及び中間空間を有する標的を設計することを可能にし得る。
【００３３】
図５Ａ〜図５Ｅは、前の層１４０、現在の層１５０、及び結果として得られる合成標的１００を示すことによって、本発明に従って修正された一般的な標的設計を概略的に示す。いずれかの層内の標的構造は、数字１２０によって示される一方で、セグメント化された背景は、上記の通り数字１１０によって示される。本例は、特定の必要に応じて修正及び適合され得るセグメント化の詳細に関して非限定的であり、また正確な標的設計に関しても非限定的であるが、開示される設計原理の一般的な標的設計への実装を示す役割を果たす。
【００３４】
図５Ａ〜５Ｃは、２次元オーバーレイ測定を可能にする、ＡＩＭＩＤ様標的に関する代替的設計を概略的に示す。同様の原理が、ＢｉＢ及びＢｌｏｓｓｏｍ標的などの他の標的設計に適用され得る。非限定的な様式において、すべての３つの設計は前の層１４０において同一の背景セグメント化１１０及び標的セグメント化１２０を有するが、それらは、現在の層１５０内の標的１２０のセグメント化において異なり、それらは、前の層１４０の標的１２０のセグメント化に対して欠失している（図５Ｂ）か、平行である（図５Ａ）か、又は垂直である（図５Ｃ）。明らかに、要素のいずれかの任意のセグメント化形体が必要に応じて修正されてもよく、両方向及び両構造のピッチが変動し得る。適切な測定条件（例えば、偏光の詳細、波長）が、標的構造１２０とそれらの背景１１０との間のコントラストを生じさせるように適用され得る。ある実施形態では、オーバーレイは、標的１００の散乱計測定及びそれらの画像測定を可能にするために、層１４０、１５０の要素間に誘導され得る（例えば、図５Ｃの標的１００内の標的構造１２０を参照）。
【００３５】
図５Ｄ、図５Ｄ−１、及び図５Ｄ−２は、２つの１次元オーバーレイ測定を可能にするＡＩＭ様標的に関するセグメント化された設計を概略的に示す。図５Ｅは、散乱計測定を可能にする散乱計標的に関するセグメント化された設計を概略的に示す。図５Ｆは、上記の設計のいずれにも適用可能であり得る、拡大された形体を有するセグメント化された設計を概略的に示す。図５Ｄ、図５Ｄ−１、図５Ｄ−２、及び図５Ｅは、かかるそれぞれの標的への開示される設計原理の適用の単一の例を単に表し、上記に開示されるガイドラインに従う種々の可能な設計はすべて、本明細書に開示されるものと見なされる。示される事例では、前の層１４０内の背景１１０及び標的構造１２０が垂直にセグメント化される一方で、現在の層１５０内の標的構造は、連続的である（すなわち、フル又はギャップバー）。セグメント化は、前の層１４０内の背景１１０及び標的構造１２０のセグメント化に対して異なる配向で、現在の層１５０内の背景及び標的構造の一方又は両方に適用され得る。前の層１４０内の相対的なセグメント化配向背景１１０及び標的構造１２０もまた、修正されてもよく、測定条件（例えば、偏光の詳細、波長）は、それに従って調整されてもよい。
【００３６】
図５Ｆを参照すると、背景１１０及び標的構造１２０のセグメント化形体間の距離ｄは、特定の特徴（波長、偏光の種類及び方向など）を有する偏光を使用した標的構造１２０に関連付けられる測定を最適化するように選択され得る。
【００３７】
異なる配向を有する標的構造１２０と背景１１０との間の境界線の反射は、線端部の品質及び特徴、線縁部の粗度、並びに線間の距離に強く依存し得る。図５Ｆに示される１つに類似の標的１００が、これらのパラメータを定量化及び観察するために使用され得る。例えば、側壁角（ＳＷＡ）は、距離ｄを示し得、例えば、同一のＳＷＡが、すべての線に関する同一の距離を示し得る一方で、線のＳＷＡの差は、パターン配置エラー又は線端部及び縁部の品質における大きな変動の兆候として使用され得る。ある実施形態では、距離ｄは、数ナノメートルの小さい範囲内で平行線に沿って（設計によって）変動し得る。かかる小さい変化の下では、側壁角は、距離ｄの変化に比例するはずであり、かかる比例挙動からの逸脱は、リソグラフィープロセスの品質を示すために使用され得、また、パターン化はデバイススケールであるため、従属ＳＷＡ（ｄ）は、デバイスの品質の直接的な兆候として使用され得る。ある実施形態では、距離ｄの意図的な変動は、観察及び制御の目的のために、スキャナ焦点及び線量変動に対する標的の感度を強化するために光学ＣＤ標的に使用され得る。ある実施形態では、偏光パラメータは、異なる偏光パラメータに対する異なる標的応答から追加の情報を抽出するために変化され得る。
【００３８】
図６Ａ〜図６Ｍは、本発明のいくつかの実施形態による、光学照明及び測定システム２００の高レベル概略図である。すべての図において、非偏光源７０は、対象７７を介してウエハ７５上の標的１００の偏光照明を提供するように修正される。レンズ７９を介して検出器８０（ＣＣＤカメラなど）に方向付けられる収集された照明は、該照明と同様に、又は異なって偏光され得る。
【００３９】
例えば、図６Ａは、それぞれのアーム内で２つの種類の偏光（例えば、ｓ及びｐ偏光）を取り扱うために、それぞれ、シャッター２２０、２３０及び鏡２２５、２３５を有する偏光ビームスプリッタ（ＰＢＳ）２１０の使用を概略的に示す。結果として得られる照明ビームは、２つのアームからビームスプリッタ２４０を介して組み合わされ、ビームスプリッタ７８を介して測定の光学軸に伝導される。この構成では、照明ビームの偏光は、シャッター２２０、２３０によって制御される。別の例では、図６Ｂは、照明ビーム偏光を修正するために使用されるアクチュエータ２５０に関連付けられる回転又は並進板２５５内に組み込まれ得る偏光子２２０、２３０を制御することによる、照明偏光の実装を示す。
【００４０】
図６Ｃ及び図６Ｄは、干渉計２６０を使用して照明ビーム偏光を制御し、ゼロ次パターンを測定から除去する、光学システム２００の高レベル概略図である。照明は、供給源７０からレンズ７２を介し、ビームスプリッタ７８を介して干渉計２６０に提供され、該干渉計２６０は、ゼロ次要素構成要素の相殺的干渉を生じさせるために使用される、焦点化又は非焦点化光学要素（それぞれ、図６Ｃ、６Ｄの２６２、２６３）及び鏡２６１を備え得る（鏡２６１は周期的構造を欠き、それ故にゼロ次の照明のみを反射する）。照明ビームは、例えば、図６Ａ、６Ｂに従って、又は別の方法で、さらに偏光され得る。
【００４１】
図６Ｅは、米国特許第７，５２８，９４１号に教示される原理に従って設計された物理的なゼロ次ブロッカ２７０を概略的に示す。これに関して、光学構成標的１００は周期的でなければならず、照明波長及び標的ピッチは、（レンズ２７４によって焦点化された後の）瞳面２７５における反射される順序間に空間的分離を作成するように選択される。ゼロ次は、幾何学的に遮断される（測定ビームの中央部分は、瞳面２７５後に遮断されることに留意されたい−矢印は遮断される領域に描かれる）。照明ビームは、例えば、図６Ａ、図６Ｂに従って、又は別の方法で、さらに偏光され得る。
【００４２】
図６Ｆ〜図６Ｊは、本発明のいくつかの実施形態による、偏光を使用して標的１００を測定するための可変リターダ偏光子２８０を有する光学システムの高レベル概略図である。図６Ｆ〜６Ｈは、反射（収集）ビームが可変リターダ偏光子２８０によって偏光される実施形態を概略的に示し、図６Ｉ〜図６Ｊは、入射ビームが可変リターダ偏光子２８０によって偏光される実施形態を概略的に示す。構成要素及び光学要素（供給源７０、レンズ７２、ビームスプリッタ７８、対象７７、ウエハ７５、レンズ７９、及び検出器８０）の表記は、図６Ａ〜図６Ｅ内の表記と同様であり、数字７９Ａは、瞳面における開口を示す。図６Ｆは、画像測定に使用され得る光学システムを示し、図６Ｇ〜図６Ｈは、散乱計測定に使用され得る光学システムを示す。図６Ｉ及び図６Ｊは、それぞれ、画像測定及び散乱計測定に使用され得る光学システムを示す。
【００４３】
図６Ｋ〜図６Ｍは、本発明のいくつかの実施形態による、偏光を使用して標的１００を測定するための可変リターダ偏光子２８０を有する光学システムの高レベル概略図である。図６Ｋ及び６Ｌは、例えば、それぞれ、ｓ偏光及びｐ偏光７０Ａ、７０Ｂなどの２つの種類の偏光をもたらす、偏光照明のための供給源を概略的に示す。図６Ｋは、シャッター２２０、２３０（図６Ａの通り）を有する偏光ビームスプリッタ（ＰＢＳ）２１０の使用を示し、図６Ｌは、シャッター２２０、２３０の代わりに可変リターダ偏光子２８０の使用を示し、どちらの場合も、異なった偏光が、それぞれの連結器及び線維７０Ａ、７０Ｂを介して図６Ｍに概略的に示される測定部品に送達される。図６Ｍは、それぞれの供給源７０Ａ、７０Ｂからのｓ及びｐ偏光ビームが、それぞれのレンズ７２Ａ、７２Ｂ、ｓ及びｐアポダイザ７３Ａ、７３Ｂ、それぞれの鏡２２５、２３５を介してＰＢＳ２４０Ａ、２４０Ｂに送達され、該ＰＢＳ２４０Ａ、２４０Ｂは、偏光ビームをビームスプリッタ７８内及び標的１００上に導入し、反射ビームをそれぞれのｓ及びｐ検出器８０Ａ、８０Ｂに送達する、測定部品を概略的に示す。
【００４４】
有利に、コントラストが、異なる材料の充填率の差というよりもむしろ、又は異なる材料の充填率の差に加えて、異なる偏光特性から生じる開示される光学計測標的は、完全にプロセス適合性となるように設計され得、またデバイスパラメータ（例えば、限界寸法及びピッチに関する）に従って設計され得る。異なる構成の照明及び／又は収集ビームの偏光は、開示される標的のコントラストを強化するために使用され得る。偏光を用いた標的及び測定は、光学オーバーレイ計測を使用したデバイス様形体の線端部の均一性及び線縁部の粗度の概算をさらに促進し得る。さらに、配向線空間又は異なる配向線の組み合わせの各群は、例えば、スキャナ焦点及び線量の観察又は制御のために、ＯＣＤ用途のための標的として使用され得る。
【００４５】
図７、図７−１、及び図７−２は、本発明のいくつかの実施形態による方法３００を示す高レベルフローチャートである。方法３００は、その順序にかかわらず、以下の段階のいずれかなどの、標的１００を設計、製造、及び／又は測定するための段階を含み得る。方法３００の段階は、少なくとも１つのコンピュータプロセッサによって少なくとも部分的に実行され得る（段階３７０）。ある実施形態は、コンピュータ可読プログラムが共に具現化されたコンピュータ可読記憶媒体を備えるコンピュータプログラム製品を含む。コンピュータ可読プログラムは、少なくとも部分的に、方法３００の段階のいずれかを実行するように構成され得る。開示される発明は、方法３００の段階に従って設計及び製造される標的設計ファイル及び標的、並びに開示される計測標的のいずれかの計測測定を含む。
【００４６】
方法３００は、標的構造を、偏光下でその背景に対して指定のコントラスト閾値を上回る高コントラストを有する一方で、非偏光下でその背景に対して該指定のコントラスト閾値を下回る低コントラストを有するように設計することを含む（段階３１０）。方法３００は、標的構造を、標的構造の背景形体に垂直な形体を有するように構成することをさらに含み得る（段階３２０）。方法３００は、標的構造を、その製造プロセスに対して完全にプロセス適合性となり、それ故に偏光照明の使用によりコントラストを維持しながら、プロセス適合性を達成するように設計することを含む（段階３２５）。
【００４７】
ある実施形態では、方法３００は、偏光下で標的構造のその背景に対するコントラストを維持（段階３３０）又は強化する（段階３４０）ように、標的構造の領域内に追加の層を設計することをさらに含み得る。ある実施形態では、方法３００は、コントラストを強化するようにセグメント化ピッチを選択することをさらに含む（段階３４５）。方法３００は、標的構造をその背景形体から指定の範囲まで離間させることをさらに含み得る（段階３５０）。ある実施形態では、方法３００は、場合より異なる照明特徴（偏光、波長、焦点など）を有する、２つ以上の測定を使用して、コントラストを強化し、測定の比較から追加の情報を抽出することをさらに含む（段階３５５）。標的１００の、及び／又は方法３００に従う、それぞれの計測測定も、同様に本開示の一部である。方法３００は、標的構造を、様々な照明条件下で繰り返し測定することと、複数の測定から追加の測定データを抽出することと、を含み得、計測測定は、様々な照明条件下でのそれぞれの複数の測定及び抽出される追加の測定データを含み得る。
【００４８】
方法３００は、設計された標的構造（段階３７５）及びそれぞれの標的設計ファイルを製造することを含み得る。かかる設計ファイルも、本開示の一部である。方法３００は、任意の標的種類を、プロセス適合性となるように、かつ偏光照明下でコントラストを呈するように適合することをさらに含み得る（段階３６５）。
【００４９】
ある実施形態では、方法３００は偏光下で標的構造をその背景と区別するように測定すること（段階３８０）と、場合により、各層の測定条件を調節して、標的構造コントラストとその背景との間のコントラストを強化すること（段階３６０）と、をさらに含み得る。測定すること３８０は、連結された偏光子、測定の光路内の代替偏光子、干渉計、可変リターダ偏光子（照明及び／もしくは収集ビームに適用される）、瞳面及び／もしくは偏光源におけるゼロ次ブロッカ、又はそれらの組み合わせのいずれかを使用して実行され得る（段階３９０）。
【００５０】
有利に、開示される発明は、コントラストが、異なる材料の充填率の差というよりもむしろ（又はそれに加えて）異なる偏光特性から生じる、光学計測標的１００を提供する。それぞれの方法３００は、かかる標的の設計原理のためのガイドラインを提供する。光学計測標的は、デバイスパラメータ（例えば、限界寸法及びピッチに関する）に従って完全に設計されることによって、完全にプロセス適合性となるように設計され得る。開示される発明は、偏光及び／又はゼロ次遮断及び又は／ゼロ次相殺的干渉を使用してかかる標的を測定することが可能な光学システムをさらに提供する。照明及び／又は収集ビームの偏光は、標的構造のコントラストを強化するために、異なる構成で実装され得る。
【００５１】
上記の記載において、実施形態は、本発明の実施例又は実装例である。「１つの実施形態」、「実施形態」、「ある実施形態」、又は「いくつかの実施形態」の種々の外観は、必ずしもすべてが同じ実施形態を指す必要はない。
【００５２】
本発明の種々の形体は単一の実施形態の文脈において記載されてもよいが、形体も、別々に、又はいずれかの適切な組み合わせにおいて提供されてもよい。反対に、本発明は、明確にするために別個の実施形態の文脈において本願に記載されてもよいが、本発明はまた、単一の実施形態に実装されてもよい。
【００５３】
本発明のある実施形態は、上記に開示された異なる実施形態からの形体を含んでもよく、ある実施形態は、上記に開示された他の実施形態からの要素を組み込んでもよい。特定の実施形態の文脈における、文脈における本発明の要素の開示は、特定の実施形態のみで使用されるようにそれらを限定すると受け止められるべきではない。
【００５４】
さらに、本発明が、種々の方法で実行され得る又は実践され得ることと、本発明が、上記の記載で概略が説明されているものではないある実施形態に実装され得ることとが理解されるべきである。
【００５５】
本発明は、それらの図、又は対応する記載に限定されない。例えば、フローは必ずしも、各図示されたボックス又は状態を通じて移動する必要はない、又は図示され記載された通りの順番で移動する必要はない。
【００５６】
本願で使用される技術用語及び科学用語の意味は、別段の指定がない限り、本発明が属する技術の分野における通常の知識を有する者によって一般に理解されるべきである。
【００５７】
本発明は、限られた数の実施形態について記載されているが、これらは本発明の範囲に対する限定であると解釈されるべきではなく、むしろ、好適な実施形態のうちのいくつかの例示として解釈されるべきである。他の考えられる変形、修正、及び適用も、本発明の範囲内である。したがって、本発明の範囲は、このように記載されたものによって限定されるべきではなく、むしろ添付の特許請求の範囲及びそれらの法的均等物によって限定されるべきである。
【図１Ａ】
2020074387.tif 000003
【図１Ｂ】
2020074387.tif 000004
【図２】
2020074387.tif 000005
【図３Ａ】
2020074387.tif 000006
【図３Ｂ】
2020074387.tif 000007
【図３Ｃ】
2020074387.tif 000008
【図４Ａ】
2020074387.tif 000009
【図４Ｂ】
2020074387.tif 000010
【図４Ｃ】
2020074387.tif 000011
【図５Ａ】
2020074387.tif 000012
【図５Ｂ】
2020074387.tif 000013
【図５Ｃ】
2020074387.tif 000014
【図５Ｄ】
2020074387.tif 000015
【図５Ｄ−１】
2020074387.tif 000016
【図５Ｄ−２】
2020074387.tif 000017
【図５Ｅ】
2020074387.tif 000018
【図５Ｆ】
2020074387.tif 000019
【図６Ａ】
2020074387.tif 000020
【図６Ｂ】
2020074387.tif 000021
【図６Ｃ】
2020074387.tif 000022
【図６Ｄ】
2020074387.tif 000023
【図６Ｅ】
2020074387.tif 000024
【図６Ｆ】
2020074387.tif 000025
【図６Ｇ】
2020074387.tif 000026
【図６Ｈ】
2020074387.tif 000027
【図６Ｉ】
2020074387.tif 000028
【図６Ｊ】
2020074387.tif 000029
【図６Ｋ】
2020074387.tif 000030
【図６Ｌ】
2020074387.tif 000031
【図６Ｍ】
2020074387.tif 000032
【図７】
2020074387.tif 000033
【図７−１】
2020074387.tif 000034
【図７−２】
2020074387.tif 000035
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
計測標的要素を測定するためのシステムであって、
照明を生成する光源と、
前記光源からの前記照明を修正して選択された偏光の照明を形成するよう構成された一組の光学要素であって、前記選択された偏光の前記照明を計測標的要素に向けるよう構成され、前記計測標的要素から反射された照明を収集するよう構成された、一組の光学要素と、を備え、
前記計測標的要素は、セグメント化された標的構造とセグメント化された背景領域を含み、前記セグメント化された背景領域により、前記セグメント化された標的構造が、偏光下で前記セグメント化された背景領域に対して指定のコントラスト閾値を上回る第１のコントラストを有し、非偏光下で前記セグメント化された背景領域に対して前記指定のコントラスト閾値を下回る第２のコントラストを有し、
前記システムがさらに、
前記計測標的要素から反射された前記照明を測定するための検出器と、
少なくとも１つのコンピュータプロセッサと、を備え、
前記少なくとも１つのコンピュータプロセッサが、
前記セグメント化された標的構造と前記セグメント化された背景領域との間に第１のコントラストを生成するよう構成された第１の組の１以上の照明特徴を用いて前記標的要素の第１の組の測定値を取得し、
前記セグメント化された標的構造と前記セグメント化された背景領域との間に前記第１のコントラストとは異なる第２のコントラストを生成するよう構成された第２の組の１以上の照明特徴を用いて前記標的要素の第２の組の測定値を取得するよう構成されることを特徴とする計測標的要素を測定するためのシステム。
【請求項２】
前記少なくとも１つのコンピュータプロセッサがさらに、前記第１の組の測定値及び前記第２の組の測定値に基づいて前記標的要素の１以上の特徴を抽出するよう構成されることを特徴とする請求項１に記載のシステム。
【請求項３】
前記標的要素の前記１以上の特徴が、光学オーバーレイ測定、線均一性測定、又は線縁部粗度測定のうちの少なくとも１つを含むことを特徴とする請求項２に記載のシステム。
【請求項４】
前記第２の組の１以上の照明特徴を用いて前記標的要素の第２の組の測定値を取得することが、前記セグメント化された標的構造と前記セグメント化された背景領域との間のコントラストを向上させるために前記第１の組の１以上の照明特徴のうちの１以上の照明特徴を選択的に調整することを含むことを特徴とする請求項１に記載のシステム。
【請求項５】
前記第１の組の１以上の照明特徴が偏光を含み、前記第２の組の１以上の照明特徴が、非偏光を含むことを特徴とする請求項１に記載のシステム。
【請求項６】
前記第１の組の１以上の照明特徴及び前記第２の組の１以上の照明特徴の少なくとも一方が、選択された偏光、選択された波長、又は選択された焦点のうちの少なくとも１つを有することを特徴とする請求項１に記載のシステム。
【請求項７】
前記セグメント化された標的構造が、第１のセグメント化方向及び第１のピッチを有し、前記セグメント化された背景領域が、第２のセグメント化方向及び第２のピッチを有することを特徴とする請求項１に記載のシステム。
【請求項８】
前記セグメント化された標的構造の１以上のセグメント化特徴及び前記セグメント化された背景領域の１以上のセグメント化特徴により、選択された偏光の光により照明された際に、前記セグメント化された標的構造と前記セグメント化された背景領域との間が選択されたコントラストレベルにされることを特徴とする請求項１に記載のシステム。
【請求項９】
前記セグメント化された標的構造の前記１以上のセグメント化特徴と前記セグメント化された背景領域の前記１以上のセグメント化特徴との間の差により、選択された偏光の光により照明された際に、前記セグメント化された標的構造と前記セグメント化された背景領域との間が前記選択されたコントラストレベルにされることを特徴とする請求項１に記載のシステム。
【請求項１０】
前記セグメント化された標的構造の前記１以上のセグメント化特徴又は前記セグメント化された背景領域の前記１以上のセグメント化特徴の少なくとも一方が、セグメント化ピッチ、セグメントの限界寸法、セグメント化方向、又はセグメント化パターンのうちの少なくとも１つを含むことを特徴とする請求項８に記載のシステム。
【請求項１１】
前記セグメント化された背景領域が、１以上の追加の層において前記セグメント化された標的構造内に形成され、これにより、前記セグメント化された背景領域が前記セグメント化された標的構造と重なることを特徴とする請求項１に記載のシステム。
【請求項１２】
前記セグメント化された背景領域が前記セグメント化された標的構造から選択された距離だけ離れていることを特徴とする請求項１に記載のシステム。
【請求項１３】
前記選択された偏光が、線形偏光、円形偏光、ｓ偏光、ｐ偏光、又は変調偏光のうちの少なくとも１つを含むことを特徴とする請求項１に記載のシステム。
【請求項１４】
前記反射照明からゼロ次回析パターンを除去するよう構成された干渉計をさらに含むことを特徴とする請求項１に記載のシステム。
【請求項１５】
前記検出器がさらに、前記反射照明からの前記１以上のゼロ次回析パターンの除去の後に前記反射照明からの１以上の１次回析パターンを測定するよう構成されることを特徴とする請求項１４に記載のシステム。
【請求項１６】
計測標的であって、
第１の層に形成された第１の計測標的要素であって、
第１のセグメント化方向及び第１のピッチを有し、第１の偏光活性を示す複数のセグメント化された標的構造と、
前記第１のセグメント化方向とは異なる第２のセグメント化方向及び前記第１のピッチとは異なる第２のピッチを有するセグメント化された背景領域であって、前記第１の偏光活性とは異なる第２の偏光活性を示し、前記セグメント化された背景領域と前記セグメント化された標的構造とが、前記第１のピッチ又は前記第２のピッチの少なくとも一方により、前記セグメント化された標的構造が、偏光下で前記セグメント化された背景領域に対して指定のコントラスト閾値を上回る第１のコントラストを有し、非偏光下で前記セグメント化された背景領域に対して前記指定のコントラスト閾値を下回る第２のコントラストを有するように形成された、セグメント化された背景領域と、
を含む第１の計測標的要素と、
第２の層に形成された第２の計測標的要素であって、複数の標的構造を有する第２の計測標的要素と、
を備え、
前記第１の計測標的要素と前記第２の計測標的要素とが少なくとも部分的に重なり、前記第１の計測標的要素の前記複数のセグメント化された標的構造と前記第２の計測標的要素の前記複数の標的構造とが重ならないことを特徴とする計測標的。
【請求項１７】
前記第２の層に形成された前記第２の計測標的要素の前記複数の標的構造が、複数のセグメント化された標的構造を含むことを特徴とする請求項１６に記載の計測標的。
【請求項１８】
前記第２の計測標的要素の前記複数のセグメント化された標的構造が、前記第１のセグメント化方向と平行なセグメント化方向と、前記第１のピッチに相当するピッチと、を有することを特徴とする請求項１７に記載の計測標的。
【請求項１９】
前記第２の計測標的要素の前記複数のセグメント化された標的構造が、前記第１のセグメント化方向に垂直なセグメント化方向を有することを特徴とする請求項１７に記載の計測標的。
【請求項２０】
前記第２の層に形成された前記第２の計測標的要素の前記複数の標的構造が、複数のセグメント化されていない標的構造を含むことを特徴とする請求項１６に記載の計測標的。
【請求項２１】
前記第１のピッチが前記第２のピッチに垂直であることを特徴とする請求項１６に記載の計測標的。
【請求項２２】
前記複数のセグメント化された標的構造の１以上のセグメント化特徴及び前記セグメント化された背景領域の１以上のセグメント化特徴により、選択された偏光の光により照明された際に、前記複数のセグメント化された標的構造と前記セグメント化された背景領域との間が選択されたコントラストレベルにされることを特徴とする請求項１６に記載の計測標的。
【請求項２３】
前記選択された偏光が、線形偏光、円形偏光、ｓ偏光、ｐ偏光、又は変調偏光のうちの少なくとも１つを含むことを特徴とする請求項２２に記載の計測標的。
【請求項２４】
前記複数のセグメント化された標的構造の前記１以上のセグメント化特徴又は前記セグメント化された背景領域の前記１以上のセグメント化特徴の少なくとも一方が、セグメント化ピッチ、セグメントの限界寸法、セグメント化方向、又はセグメント化パターンのうちの少なくとも１つを含むことを特徴とする請求項２２に記載の計測標的。
【請求項２５】
前記第１の計測標的の前記複数のセグメント化された標的構造及び前記第１の計測標的の前記セグメント化された背景領域が、前記セグメント化された標的構造の各々と前記セグメント化された背景領域との間の境界により分離されていることを特徴とする請求項２２に記載の計測標的。
【請求項２６】
計測標的であって、
第１の層に形成された第１の計測標的要素を備え、
前記第１の計測標的要素が、
複数のセグメント化された標的構造であって、
前記計測標的の第１象限内の第１の部分組のセグメント化された標的構造であって、第１のセグメント化方向及び第１のピッチを有する第１の部分組のセグメント化された標的構造と、
前記計測標的の第２象限内の第２の部分組のセグメント化された標的構造であって、前記第１のセグメント化方向に垂直な第２のセグメント化方向を有する第２の部分組のセグメント化された標的構造と、
前記計測標的の第３象限内の第３の部分組のセグメント化された標的構造であって、前記第１のセグメント化方向と平行な第３のセグメント化方向を有する第３の部分組のセグメント化された標的構造と、
前記計測標的の第４象限内の第４の部分組のセグメント化された標的構造であって、前記第２のセグメント化方向と平行な第４のセグメント化方向を有する第４の部分組のセグメント化された標的構造と、を含む複数のセグメント化された標的構造と、
前記第１象限及び前記第３象限内において前記第１のセグメント化方向に垂直な第５のセグメント化方向を有し、前記第２象限及び前記第４象限内において前記第２のセグメント化方向に垂直な第６のセグメント化方向を有する、セグメント化された背景領域と、を含むことを特徴とする計測標的。
【請求項２７】
前記第１の部分組のセグメント化された標的構造及び前記第３の部分組のセグメント化された標的構造が、前記第１のセグメント化方向及び前記第３のセグメント化方向に垂直な方向に沿って分離され、
前記第３の部分組のセグメント化された標的構造及び前記第４の部分組のセグメント化された標的構造が、前記第２のセグメント化方向及び前記第４のセグメント化方向に垂直な方向に沿って分離されていることを特徴とする請求項２６に記載の計測標的。
【請求項２８】
第２の層に形成された第２の計測標的要素をさらに含み、
前記第２の計測標的要素が複数の標的構造を備え、前記複数の標的構造が、
前記第５のセグメント化方向と平行な方向に沿って分離されている前記計測標的の前記第１象限内の第１の部分組の標的構造と、
前記第６のセグメント化方向と平行な方向に沿って分離されている前記計測標的の前記第２象限内の第２の部分組の標的構造と、
前記第５のセグメント化方向と平行な方向に沿って分離されている前記計測標的の前記第３象限内の第３の部分組の標的構造と、
前記第６のセグメント化方向と平行な方向に沿って分離されている前記計測標的の前記第４象限内の第４の部分組の標的構造と、を含み、
前記第１の計測標的要素と前記第２の計測標的要素とが少なくとも部分的に重なり、前記第１の計測標的要素の前記複数のセグメント化された標的構造と前記第２の計測標的要素の前記複数の標的構造とは重ならないことを特徴とする請求項２６に記載の計測標的。
【請求項２９】
前記複数のセグメント化された標的構造の１以上のセグメント化特徴及び前記セグメント化された背景領域の１以上のセグメント化特徴により、選択された偏光の光により照明された際に、前記複数のセグメント化された標的構造と前記セグメント化された背景領域との間が選択されたコントラストレベルにされることを特徴とする請求項２６に記載の計測標的。
【請求項３０】
前記選択された偏光が、線形偏光、円形偏光、ｓ偏光、ｐ偏光、又は変調偏光のうちの少なくとも１つを含むことを特徴とする請求項２９に記載の計測標的。
【請求項３１】
前記複数のセグメント化された標的構造の前記１以上のセグメント化特徴又は前記セグメント化された背景領域の前記１以上のセグメント化特徴の少なくとも一方が、セグメント化ピッチ、セグメントの限界寸法、セグメント化方向、又はセグメント化パターンのうちの少なくとも１つを含むことを特徴とする請求項２９に記載の計測標的。
【請求項３２】
前記第１の計測標的の前記複数のセグメント化された標的構造及び前記第１の計測標的の前記セグメント化された背景領域が、前記セグメント化された標的構造の各々と前記セグメント化された背景領域との間の境界により分離されていることを特徴とする請求項２９に記載の計測標的。
【請求項３３】
計測標的要素を測定する方法であって、
第１の組の１以上の照明特徴を含む照明によって前記計測標的要素を照明するステップであって、前記標的要素が、第１のセグメント化方向を有するセグメント化された標的構造と前記第１のセグメント化方向に垂直な第２のセグメント化方向を有するセグメント化された背景領域とを含み、前記セグメント化された背景領域のセグメント化ピッチ又は前記セグメント化された標的構造のセグメント化ピッチの少なくとも一方により、偏光下で指定のコントラスト閾値を上回る第１のコントラストが生じ、非偏光下で前記セグメント化された背景領域に対して前記指定のコントラスト閾値を下回る第２のコントラストが生じる、照明するステップと、
前記標的要素から反射された照明に基づいて前記標的要素の第１の組の計測値を取得するステップであって、前記照明が前記第１の組の１以上の照明特徴を含む、取得するステップと、
第２の組の１以上の照明特徴を含む照明によって前記計測標的要素を照明するステップと、
前記標的要素から反射された照明に基づいて前記標的要素の第２の組の測定値を取得するステップであって、前記照明が前記第２の組の１以上の照明特徴を含む、取得するステップと、
を含むことを特徴とする方法。
【請求項３４】
前記第１の組の測定値及び前記第２の組の測定値に基づいて前記標的要素の１以上の特徴を抽出するステップをさらに含むことを特徴とする請求項３３に記載の方法。
【請求項３５】
前記標的要素の前記１以上の特徴が、光学オーバーレイ測定、線均一性測定、又は線縁部粗度測定のうちの少なくとも１つを含むことを特徴とする請求項３４に記載の方法。
【請求項３６】
前記標的要素の第２の組の測定値を取得するステップが、前記セグメント化された標的構造と前記セグメント化された背景領域との間のコントラストを向上させるために前記第１の組の１以上の照明特徴のうちの１以上の照明特徴を選択的に調整することを含むことを特徴とする請求項３３に記載の方法。
【請求項３７】
前記第１の組の１以上の照明特徴が偏光を含み、前記第２の組の１以上の照明特徴が非偏光を含むことを特徴とする請求項３３に記載の方法。
【請求項３８】
前記セグメント化された標的構造の１以上のセグメント化特徴及び前記セグメント化された背景領域の１以上のセグメント化特徴により、選択された偏光の光により照明された際に、前記セグメント化された標的構造と前記セグメント化された背景領域との間が選択されたコントラストレベルにされることを特徴とする請求項３３に記載の方法。
【請求項３９】
前記セグメント化された標的構造の前記１以上のセグメント化特徴と前記セグメント化された背景領域の前記１以上のセグメント化特徴との間の差により、選択された偏光の光により照明された際に、前記セグメント化された標的構造と前記セグメント化された背景領域との間が前記選択されたコントラストレベルにされることを特徴とする請求項３８に記載の方法。
【請求項４０】
前記セグメント化された標的構造の前記１以上のセグメント化特徴又は前記セグメント化された背景領域の前記１以上のセグメント化特徴の少なくとも一方が、セグメント化ピッチ、セグメントの限界寸法、セグメント化方向、又はセグメント化パターンのうちの少なくとも１つを含むことを特徴とする請求項３９に記載の方法。
【請求項４１】
第１の組の１以上の照明特徴を含む照明によって前記計測標的要素を照明するステップが、線形偏光、円形偏光、ｓ偏光、ｐ偏光、又は変調偏光のうちの少なくとも１つである照明によって前記計測標的要素を照明することを含むことを特徴とする請求項３８に記載の方法。
【請求項４２】
前記反射照明から１以上のゼロ次回析パターンを除去するステップをさらに含むことを特徴とする請求項３８に記載の方法。